(57)【要約】無線通信システムにおけるセル無線ネットワーク一時的識別子（Ｃ−ＲＮＴＩ）を再同期させるための技術が説明される。１つの設計においては、ユーザ機器（ＵＥ）は、ランダムアクセスのためにランダムアクセスプリアンブルを送る。基地局は、ランダムアクセスプリアンブルを受け取り、ＵＥに一時的Ｃ−ＲＮＴＩを割り当て、そして、一時的Ｃ−ＲＮＴＩを含むランダムアクセスレスポンスを送る。有効なＣ−ＲＮＴＩがまだ利用可能でない場合、ＵＥは、それ自身のためのＣ−ＲＮＴＩとして一時的Ｃ−ＲＮＴＩを使用する。もし利用可能であれば、ＵＥは、一時的Ｃ−ＲＮＴＩを廃棄し、有効なＣ−ＲＮＴＩを使用する。ＵＥは、ランダムアクセスレスポンスを受け取った後に送信を送り、そしてもし利用可能な場合は、送信は、有効なＣ−ＲＮＴＩを含むことができる。ハンドオーバについては、基地局（ターゲット基地局）は、ソース基地局からハンドオーバリクエストを受け取り、ＵＥに有効なＣ−ＲＮＴＩを割り当て、そして、ＵＥに転送するために有効なＣ−ＲＮＴＩをソース基地局へ送る。
2010506504.tif 000002
【特許請求の範囲】
【請求項１】
ユーザ機器（ＵＥ）によるランダムアクセスのためにランダムアクセスプリアンブルを送るように、一時的セル無線ネットワーク一時的識別子（Ｃ−ＲＮＴＩ）を備えているランダムアクセスレスポンスを受け取るように、有効なＣ−ＲＮＴＩがまだ利用可能でない場合はＵＥのＣ−ＲＮＴＩとして一時的Ｃ−ＲＮＴＩを使用するように、そして、もし利用可能な場合は、前記一時的Ｃ−ＲＮＴＩを廃棄し、前記有効なＣ−ＲＮＴＩを使用するように、構成された少なくとも１つのプロセッサと、
前記少なくとも１つのプロセッサに結合されたメモリと、
を備える無線通信のための装置。
【請求項２】
前記少なくとも１つのプロセッサは、前記ランダムアクセスレスポンスを受け取った後に送信を送るように構成されており、前記送信は、利用可能な場合は前記有効なＣ−ＲＮＴＩを備えている、請求項１に記載の装置。
【請求項３】
前記少なくとも１つのプロセッサは、前記ランダムアクセスレスポンスを受け取った後に送信を送るように構成されており、前記送信は、前記ＵＥの前記Ｃ−ＲＮＴＩとして使用される場合は、前記一時的Ｃ−ＲＮＴＩを含んでいない、請求項１に記載の装置。
【請求項４】
前記少なくとも１つのプロセッサは、前記ランダムアクセスに先立ってソース基地局から前記有効なＣ−ＲＮＴＩを受け取るように、前記ソース基地局からターゲット基地局へのハンドオーバのためにランダムアクセスプリアンブルを送るように、そして、前記ターゲット基地局からの前記ランダムアクセスレスポンスを受け取るように、構成されている、請求項１に記載の装置。
【請求項５】
前記有効なＣ−ＲＮＴＩは、前記ターゲット基地局によって割り当てられ、前記ソース基地局へ送られ、そして、ハンドオーバコマンドにおいて前記ソース基地局により転送される、請求項４に記載の装置。
【請求項６】
前記少なくとも１つのプロセッサは、前記有効なＣ−ＲＮＴＩが利用可能な場合は、タイミング同期化アップデートのために前記ランダムアクセスプリアンブルを送るように、そして、前記一時的Ｃ−ＲＮＴＩを廃棄し、前記有効なＣ−ＲＮＴＩを使用し続けるように、構成されている、請求項１に記載の装置。
【請求項７】
前記少なくとも１つのプロセッサは、前記有効なＣ−ＲＮＴＩが利用可能でないときに、最初のシステムアクセスのために前記ランダムアクセスプリアンブルを送るように、そして、前記ＵＥの前記Ｃ−ＲＮＴＩとして前記一時的Ｃ−ＲＮＴＩを使用するように、構成されている、請求項１に記載の装置。
【請求項８】
前記少なくとも１つのプロセッサは、前記有効なＣ−ＲＮＴＩが利用可能でないときに、アイドル状態からアクティブ状態への遷移のためにランダムアクセスプリアンブルを送るように、そして、前記ＵＥの前記Ｃ−ＲＮＴＩとして前記一時的Ｃ−ＲＮＴＩを使用するように、構成されている、請求項１に記載の装置。
【請求項９】
ユーザ機器（ＵＥ）によるランダムアクセスのためにランダムアクセスプリアンブルを送ることと、
一時的セル無線ネットワーク一時的識別子（Ｃ−ＲＮＴＩ）を備えているランダムアクセスレスポンスを受け取ることと、
有効なＣ−ＲＮＴＩがまだ利用可能でない場合は、前記ＵＥのＣ−ＲＮＴＩとして一時的Ｃ−ＲＮＴＩを使用することと、
利用可能な場合は、前記一時的Ｃ−ＲＮＴＩを廃棄し、前記有効なＣ−ＲＮＴＩを使用することと、
を備える無線通信のための方法。
【請求項１０】
ランダムアクセスレスポンスを受け取った後に送信を送ること、
をさらに備え、
利用可能な場合は、前記送信は前記有効なＣ−ＲＮＴＩを備える、
請求項９に記載の方法。
【請求項１１】
前記ランダムアクセスに先立ってソース基地局から前記有効なＣ−ＲＮＴＩを受け取ること、
をさらに備え、
前記の前記ランダムアクセスプリアンブルを送ることは、前記ソース基地局からターゲット基地局へのハンドオーバのために前記ランダムアクセスプリアンブルを送ることを備え、そして、前記の前記ランダムアクセスレスポンスを受け取ることは、前記ターゲット基地局から前記一時的Ｃ−ＲＮＴＩを備えている前記ランダムアクセスレスポンスを受け取ることを備える、
請求項９に記載の方法。
【請求項１２】
前記の前記ランダムアクセスプリアンブルを送ることは、前記有効なＣ−ＲＮＴＩが利用可能なときに、タイミング同期化アップデートのためにランダムアクセスプリアンブルを送ることを備えており、そして、前記一時的Ｃ−ＲＮＴＩは廃棄され、前記有効なＣ−ＲＮＴＩが使用される、
請求項９に記載の方法。
【請求項１３】
前記の前記ランダムアクセスプリアンブルを送ることは、前記有効なＣ−ＲＮＴＩが利用可能でないときに前記アイドル状態からアクティブ状態への遷移のために、あるいは最初のシステムアクセスのために、前記ランダムアクセスプリアンブルを送ること、を備えており、そして、前記一時的Ｃ−ＲＮＴＩは、ＵＥのＣ−ＲＮＴＩとして使用される、
請求項９に記載の方法。
【請求項１４】
ユーザ機器（ＵＥ）によるランダムアクセスのためにランダムアクセスプリアンブルを送るための手段と、
一時的セル無線ネットワーク一時的識別子（Ｃ−ＲＮＴＩ）を備えているランダムアクセスレスポンスを受け取るための手段と、
有効なＣ−ＲＮＴＩがまだ利用可能でない場合は、前記ＵＥのＣ−ＲＮＴＩとして前記一時的Ｃ−ＲＮＴＩを使用するための手段と、
利用可能な場合は、前記一時的Ｃ−ＲＮＴＩを廃棄し、前記有効なＣ−ＲＮＴＩを使用するための手段と、
を備える無線通信のための装置
【請求項１５】
前記ランダムアクセスレスポンスを受け取った後に送信を送るための手段、
をさらに備え、
前記送信は、利用可能な場合は前記有効なＣ−ＲＮＴＩを備える、
請求項１４に記載の装置。
【請求項１６】
前記ランダムアクセスに先立ってソース基地局から前記有効なＣ−ＲＮＴＩを受け取るための手段、
をさらに備え、
前記ランダムアクセスプリアンブルを送るための前記手段は、前記ソース基地局からターゲット基地局へのハンドオーバのために前記ランダムアクセスプリアンブルを送るための手段を含み、そして、前記ランダムアクセスレスポンスを受け取るための前記手段は、前記ターゲット基地局から前記一時的Ｃ−ＲＮＴＩを備えている前記ランダムアクセスレスポンスを受け取るための手段を含む、
請求項１４に記載の装置。
【請求項１７】
機械によって実行されるときに、
ユーザ機器（ＵＥ）によるランダムアクセスのためにランダムアクセスプリアンブルを送ることと、
一時的セル無線ネットワーク一時的識別子（Ｃ−ＲＮＴＩ）を備えているランダムアクセスレスポンスを受け取ること、
有効なＣ−ＲＮＴＩがまだ利用可能でない場合は、前記ＵＥのＣ−ＲＮＴＩとして前記一時的Ｃ−ＲＮＴＩを使用することと、
利用可能な場合は、前記一時的Ｃ−ＲＮＴＩを廃棄し、前記有効なＣ−ＲＮＴＩを使用することと、
を含むオペレーションを前記機械に実行させる命令、
を備える機械可読媒体。
【請求項１８】
ユーザ機器（ＵＥ）によるランダムアクセスのためにランダムアクセスプリアンブルを受け取るように、前記ＵＥに一時的セル無線ネットワーク一時的識別子（Ｃ−ＲＮＴＩ）を割り当てるように、前記一時的Ｃ−ＲＮＴＩを備えているランダムアクセスレスポンスを送るように、前記ＵＥで有効なＣ−ＲＮＴＩがまだ利用可能でない場合は、前記ＵＥのＣ−ＲＮＴＩとして前記一時的Ｃ−ＲＮＴＩを使用するように、そして、前記ＵＥから受け取られた場合は、前記一時的Ｃ−ＲＮＴＩをリリースし、有効なＣ−ＲＮＴＩを使用するように、構成された少なくとも１つのプロセッサと、
少なくとも１つのプロセッサに結合されたメモリと、
を備える、無線通信のための装置
【請求項１９】
前記少なくとも１つのプロセッサは、前記ランダムアクセスレスポンスを送った後に前記ＵＥから送信を受け取るように構成されており、前記送信は、前記ＵＥで利用可能な場合は前記有効なＣ−ＲＮＴＩを備えている、請求項１８に記載の装置。
【請求項２０】
前記少なくとも１つのプロセッサは、前記ＵＥのためのソース基地局からのハンドオーバリクエストを受け取るように、前記ハンドオーバリクエストに応じて前記ＵＥに前記有効なＣ−ＲＮＴＩを割り当てるように、前記ＵＥに転送するために前記ソース基地局へ前記有効なＣ−ＲＮＴＩを送るように、そして、前記ソース基地局からターゲット基地局へのハンドオーバのために前記ＵＥから前記ランダムアクセスプリアンブルを受け取るように、構成されている、請求項１８に記載の装置。
【請求項２１】
前記少なくとも１つのプロセッサは、前記ＵＥがすでに前記有効なＣ−ＲＮＴＩを有するときに、タイミング同期化アップデートために前記ＵＥから前記ランダムアクセスプリアンブルを受け取るように、前記ランダムアクセスレスポンスを送った後に前記ＵＥから前記有効なＣ−ＲＮＴＩを備えている送信を受け取るように、そして、前記一時的Ｃ−ＲＮＴＩをリリースし、前記ＵＥの前記有効なＣ−ＲＮＴＩを使用するように、構成されている、請求項１８に記載の装置
【請求項２２】
前記少なくとも１つのプロセッサは、最初のシステムアクセスために前記ＵＥから前記ランダムアクセスプリアンブルを受け取るように、そして、前記ＵＥの前記Ｃ−ＲＮＴＩとして前記一時的Ｃ−ＲＮＴＩを使用するように、構成されている、請求項１８に記載の装置。
【請求項２３】
前記少なくとも１つのプロセッサは、アイドル状態からアクティブ状態への遷移のために前記ＵＥから前記ランダムアクセスプリアンブルを受け取るように、そして、前記ＵＥの前記Ｃ−ＲＮＴＩとして前記一時的Ｃ−ＲＮＴＩを使用するように、構成されている、
請求項１８に記載の装置。
【請求項２４】
ユーザ機器（ＵＥ）によるランダムアクセスためにランダムアクセスプリアンブルを受け取ることと、
前記ＵＥに一時的セル無線ネットワーク一時的識別子（Ｃ−ＲＮＴＩ）を割り当てることと、
前記一時的Ｃ−ＲＮＴＩを備えているランダムアクセスレスポンスを送ることと、
有効なＣ−ＲＮＴＩが前記ＵＥでまだ利用可能でない場合は、前記ＵＥのＣ−ＲＮＴＩとして前記一時的Ｃ−ＲＮＴＩを使用することと、
前記ＵＥから受け取られた場合は、前記一時的Ｃ−ＲＮＴＩをリリースし、前記有効なＣ−ＲＮＴＩを使用することと、
を備える無線通信のための方法。
【請求項２５】
前記ランダムアクセスレスポンスを送った後に前記ＵＥから送信を受け取ること、
をさらに備え、
前記送信は、前記ＵＥで利用可能な場合は前記有効なＣ−ＲＮＴＩを備えている、
請求項２４に記載の方法。
【請求項２６】
前記ＵＥのための前記ソース基地局からハンドオーバリクエストを受け取ることと、
前記ハンドオーバリクエストに応じて前記ＵＥに前記有効なＣ−ＲＮＴＩを割り当てることと、
前記ＵＥへ転送するために前記ソース基地局へ有効なＣ−ＲＮＴＩを送ることと、
をさらに備え、
前記ランダムアクセスプリアンブルは、前記ソース基地局からターゲット基地局へのハンドオーバために前記ＵＥから受け取られる、
請求項２４に記載の方法。
【請求項２７】
前記の前記ランダムアクセスプリアンブルを受け取ることは、前記ＵＥがすでに前記有効なＣ−ＲＮＴＩを有するときにタイミング同期化アップデートのために前記ＵＥから前記ランダムアクセスプリアンブルを受け取ること、を備え、前記方法は、前記ランダムアクセスレスポンスを送った後に前記ＵＥから前記有効なＣ−ＲＮＴＩを備えている送信を受け取ること、を備え、そして、前記一時的Ｃ−ＲＮＴＩはリリースされ、前記有効なＣ−ＲＮＴＩはＵＥのために使用される、請求項２４に記載の方法。
【請求項２８】
前記の前記ランダムアクセスプリアンブルを受け取ることは、最初のシステムアクセスのために、あるいは、アイドル状態からアクティブ状態への遷移のために、前記ＵＥから前記ランダムアクセスプリアンブルを受け取ること、を備え、そして、前記一時的Ｃ−ＲＮＴＩは、前記ＵＥの前記Ｃ−ＲＮＴＩとして使用される、請求項２４に記載の方法。
【請求項２９】
ユーザ機器（ＵＥ）によるランダムアクセスためのランダムアクセスプリアンブルを受け取るための手段と、
前記ＵＥに、一時的セル無線ネットワーク一時的識別子（Ｃ−ＲＮＴＩ）を割り当てるための手段と、
前記一時的Ｃ−ＲＮＴＩを備えているランダムアクセスレスポンスを送るための手段と、
有効なＣ−ＲＮＴＩが前記ＵＥでまだ利用可能でない場合は、前記ＵＥのＣ−ＲＮＴＩとして前記一時的Ｃ−ＲＮＴＩを使用するための手段と、
前記ＵＥから受け取られた場合は、前記一時的Ｃ−ＲＮＴＩをリリースし、前記有効なＣ−ＲＮＴＩを使用するための、手段と、
を備える無線通信のための装置。
【請求項３０】
前記ランダムアクセスレスポンスを送った後に前記ＵＥから送信を受け取るための手段、
をさらに備え、
前記送信は、前記ＵＥで利用可能な場合は、前記有効なＣ−ＲＮＴＩを備えている、
請求項２９に記載の装置。
【請求項３１】
前記ＵＥのためのソース基地局からハンドオーバリクエストを受け取るための手段と、
前記ハンドオーバリクエストに応じて、前記ＵＥに前記有効なＣ−ＲＮＴＩを割り当てるための手段と、
前記ＵＥへ転送するために前記ソース基地局へ前記有効なＣ−ＲＮＴＩを送るための手段と、
を備え、
前記ランダムアクセスプリアンブルは、前記ソース基地局からターゲット基地局へのハンドオーバために前記ＵＥから受け取られる、
請求項２９に記載の装置。
【請求項３２】
機械によって実行されるときに、
ユーザ機器（ＵＥ）によるランダムアクセスためのランダムアクセスプリアンブルを受け取ることと、
前記ＵＥに一時的セル無線ネットワーク一時的識別子（Ｃ−ＲＮＴＩ）を割り当てることと、
前記一時的Ｃ−ＲＮＴＩを備えているランダムアクセスレスポンスを送ることと、
有効なＣ−ＲＮＴＩが前記ＵＥでまだ利用可能でない場合は、前記ＵＥのＣ−ＲＮＴＩとして前記一時的Ｃ−ＲＮＴＩを使用することと、
前記ＵＥから受け取られた場合は、前記一時的Ｃ−ＲＮＴＩをリリースし、前記有効なＣ−ＲＮＴＩを使用することと、
を含むオペレーションを前記機械に実行させる命令、
を備える機械可読媒体。
【発明の詳細な説明】
【優先権の主張】
【０００１】
本願は、ここでの譲受人に譲渡され、参照によりここに組み込まれる、２００６年１０月３日に出願され、「Ｅ−ＵＴＲＡＮにおけるＣ−ＲＮＴＩ再同期化(C-RNTI RE-SYNCHRONIZATION IN E-UTRAN)」と題された仮米国出願シリアル番号６０／８２７，９８２の優先権を主張する。
【背景】
【０００２】
［Ｉ．分野］
本開示は、一般に通信に関連し、より具体的には、無線通信システム(wireless communication system)における一時的ユーザ機器識別子(temporary user equipment identifiers)（ＵＥ  ＩＤｓ）を再同期させる(re-synchronizing)ための技術に関する。
【０００３】
［ＩＩ．背景］
無線通信システムは、音声、ビデオ、パケットデータ、メッセージング、ブロードキャストなどのような様々な通信内容(communication content)を提供するために幅広く展開されている。これらの無線システムは、利用可能なシステムリソース(system resources)を共有することにより多数のユーザをサポートすることができる多元接続システム(multiple-access systems)であってもよい。そのような多元接続システムの例は、符号分割多元接続(Code Division Multiple Access)（符号分割多元接続）システム、時分割多元接続(Time Division Multiple Access)（ＴＤＭＡ）システム、周波数分割多元接続(Frequency Division Multiple Access)（ＦＤＭＡ）システム、直交ＦＤＭＡ(Orthogonal FDMA)（ＯＦＤＭＡ）システム、および、単一キャリアＦＤＭＡ(Single-Carrier FDMA)（ＳＣ−ＦＤＭＡ）システムを含む。
【０００４】
無線通信システムは、任意の数のユーザ機器(user equipments)（ＵＥｓ）のための通信をサポートすることができる任意の数の基地局を含むことができる。各基地局は、特定の地理的エリアの通信範囲(communication coverage)を提供することができる。各基地局の全体的なサービスエリア(overall coverage area)は、複数の（例えば３つの）より小さなエリアへ区分される(partitioned)ことができる。用語「セル(cell)」は、このサービスエリアにサービス提供する(serving)基地局および／または基地局サブシステムの最も小さなサービスエリアを指すことができる。
【０００５】
ＵＥは、与えられたいつなんどきでも(at any given moment)、１つ以上のセルと通信することができる。ＵＥは、ＵＥが通信している各セルによって、一時的ＵＥ  ＩＤ(temporary UE ID)を割り当てられる(assigned)ことができる。一時的ＵＥ  ＩＤは、そのＩＤを割り当てたセルのみに有効であることができ、また、そのセルとのコミュニケーションのためのＵＥを一意に識別する(uniquely identify)ために使用されることができる。与えられたいつなんどきでも、ＵＥが通信している各セルによって、ＵＥが唯一１つの(only one)有効な一時的ＵＥ  ＩＤを割り当てられる、ということを確実にすることが望ましい。
【発明の概要】
【０００６】
無線通信システムにおいて、一時的ＵＥ  ＩＤｓ(temporary UE IDs)を再同期させるための技術が、ここに説明される。一時的ＵＥ  ＩＤはまた、セル無線ネットワーク一時的識別子(Cell Radio Network Temporary Identifier (C-RNTI))（Ｃ−ＲＮＴＩ）、メディアアクセス制御(Medium Access Control)（ＭＡＣ）ＩＤなどと呼ばれてもよい。用語Ｃ−ＲＮＴＩは、下記の説明の多くの中で使用される。
【０００７】
１つの設計においては、ＵＥは、ランダムアクセスのために、例えば、最初のシステムアクセス(initial system access)、ハンドオーバ(handover)、アクティブ状態(active state)への遷移(transition)、タイミング同期化アップデート(timing synchronization update)などのために、ランダムアクセスプリアンブル(random access preamble)を送ることができる。基地局は、ランダムアクセスプリアンブルを受け取り、ＵＥに一時的Ｃ−ＲＮＴＩを割り当て、そして、一時的Ｃ−ＲＮＴＩを備えているランダムアクセスレスポンス(random access response)を送ることができる。ＵＥは、ランダムアクセスレスポンスを受け取り、そして、もし有効なＣ−ＲＮＴＩがＵＥでまだ(alreasy)利用可能でない場合は、それ自身のＣ−ＲＮＴＩ(C-RNTI for itself)として一時的Ｃ−ＲＮＴＩを使用することができる。ＵＥは、もし利用可能であれば、一時的Ｃ−ＲＮＴＩを廃棄し(discard)、有効なＣ−ＲＮＴＩを使用することができる(The UE may discard the Temporary C-RNTI and use the valid C-RNTI if available.)。ＵＥは、ランダムアクセスレスポンスを受け取った後に、送信を送る(send a transmission)ことができ、また、送信は、利用可能であれば有効なＣ−ＲＮＴＩを含むことができる。基地局は、（ｉ）もしＵＥから受け取られる場合は、一時的Ｃ−ＲＮＴＩをリリースし(release)、有効Ｃ−ＲＮＴＩを使用する(release the Temporary C-RNTI and use the valid C-RNTI if received from the UE)、または、（ｉｉ）もし有効なＣ−ＲＮＴＩがＵＥから受け取られない場合は、ＵＥのＣ−ＲＮＴＩとして一時的Ｃ−ＲＮＴＩを使用する。
【０００８】
ＵＥは、様々なシナリオについてランダムアクセスを行なうことができる。ハンドオーバの場合、基地局は、ハンドオーバのためのターゲット基地局(target base station)であることができ、ＵＥのためのソース基地局からハンドオーバリクエストを受け取ることができる。ターゲット基地局は、ＵＥに有効なＣ−ＲＮＴＩを割り当て、そして次に、ＵＥへ転送するためにソース基地局に有効なＣ−ＲＮＴＩを送ることができる。ＵＥは、その後、ソース基地局からターゲット基地局へのハンドオーバのために、ランダムアクセスプリアンブルを送ることができる。
【０００９】
ＵＥは、最初のシステムアクセスのために、あるいは、有効なＣ−ＲＮＴＩが利用可能でないときに、アイドル状態(idle state)からアクティブ状態(active state)への遷移のために、ランダムアクセスプリアンブルを送ることができる。その後、ＵＥは、それ自身のＣ−ＲＮＴＩとして一時的Ｃ−ＲＮＴＩを使用することができる。ＵＥはまた、有効なＣ−ＲＮＴＩがすでに利用可能であるときは、タイミング同期化アップデートのためにランダムアクセスプリアンブルを送ることができる。その後、ＵＥは、一時的Ｃ−ＲＮＴＩを廃棄し、有効なＣ−ＲＮＴＩを使用し続けることができる。
【００１０】
本開示の種々な態様および特徴は、下記に、さらに詳細に説明される。
【図面の簡単な説明】
【００１１】
【図１】図１は、無線多元接続通信システム(wireless multiple-access communication system)を示す。
【図２】図２は、ＵＥおよび他のネットワークエンティティのためのプロトコルスタックを示す。
【図３】図３は、ＵＥについての状態ブロック図を示す。
【図４】図４は、ランダムアクセスプロシージャためのメッセージフローを示す。
【図５】図５から７は、ＵＥのハンドオーバについての３つのメッセージフローを示す。
【図６】図５から７は、ＵＥのハンドオーバについての３つのメッセージフローを示す。
【図７】図５から７は、ＵＥのハンドオーバについての３つのメッセージフローを示す。
【図８】図８は、ＵＥによってランダムアクセスを行なうプロセスを示す。
【図９】図９はランダムアクセスを行なうために装置を示す。
【図１０】図１０は、基地局によってランダムアクセスをサポートするためのプロセスを示す。
【図１１】図１１は、ランダムアクセスのサポートするための装置を示す。
【図１２】図１２は、ＵＥおよび２つの基地局のブロック図を示す。
【詳細な説明】
【００１２】
ここに説明される技術は、ＣＤＭＡ、ＴＤＭＡ、ＦＤＭＡ、ＯＦＤＭＡ、ＳＣ−ＦＤＭＡ、および他のシステム、のような様々な無線通信システムに使用されることができる。「システム」、「ネットワーク」という用語は、しばしば区別無く使用される。ＣＤＭＡシステムは、無線技術(radio technology)、例えば、ユニバーサル地上無線アクセス(Universal Terrestrial Radio Access)（ＵＴＲＡ）、ｃｄｍａ２０００など、をインプリメントする(implement)ことができる。ＵＴＲＡは、広帯域ＣＤＭＡ（Ｗ−ＣＤＭＡ）および低いチップレート(Low Chip Rate)（ＬＣＲ）を含んでいる。ｃｄｍａ２０００は、ＩＳ−２０００、ＩＳ−９５、およびＩＳ−８５６の標準規格(standards)を対象として含んでいる。ＴＤＭＡシステムは、グローバル移動体通信システム(Global System for Mobile Communications)（ＧＳＭ）のような無線技術をインプリメントすることができる。ＯＦＤＭＡシステムは、発展型ＵＴＲＡ(Evolved UTRA)（Ｅ−ＵＴＲＡ）、ウルトラモバイルブロードバンド(Ultra Mobile Broadband)（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ  ＯＦＤＭ（Ｒ）などのような無線技術を、インプリメントすることができる。ＵＴＲＡ、Ｅ−ＵＴＲＡ、およびＧＳＭは、ユニバーサルモバイルテレコミュニケーションシステム(Universal Mobile Telecommunication System)（ＵＭＴＳ）の一部である。３ＧＰＰ  ロングタームエボリューション(Long Term Evolution)（ＬＴＥ）は、Ｅ−ＵＴＲＡを使用するＵＭＴＳの来るべきリリースであり、それは、ダウンリンク上でＯＦＤＭＡを、そしてアップリンク上でＳＣ−ＦＤＭＡを使用する。ＵＴＲＡ、Ｅ−ＵＴＲＡ、ＧＳＭ、ＵＭＴＳ、およびＬＴＥは、「第３世代パートナーシッププロジェクト(3rd Generation Partnership Project)」（３ＧＰＰ）と名づけられた機構からのドキュメントの中で説明されている。ｃｄｍａ２０００とＵＭＢは、「第３世代パートナーシッププロジェクト２」（３ＧＰＰ２）と名づけられた機構からのドキュメントの中で説明されている。これらの様々な無線技術および標準規格は、当技術分野で知られている。明確にするために、該技術のある面(aspects)がＬＴＥについて下記に説明されており、また、ＬＴＥの専門用語は、下記の説明の多くの中で使用されている。
【００１３】
図１は、複数の発展型ノードＢ(multiple evolved Node Bs)（ｅＮＢｓ）１１０を備えた無線多元接続通信システム１００を示す。ｅＮＢは、ＵＥと通信するために使用される固定局(fixed station)であることができ、また、ノードＢ、基地局、アクセスポイントなどと呼ばれることもできる。各ＮＢ１１０は、特定の地理的なエリアのための通信範囲を提供する。３ＧＰＰにおいては、用語「セル(cell)」は、このサービスエリアにサービス提供するｅＮＢおよび／またはｅＮＢサブシステムの最も小さなサービスエリアを指すことができる。他のシステムにおいては、用語「セクター(sector)」は、このサービスエリアにサービス提供する最も小さなサービスエリアおよび／または該サブシステムを指すことができる。明確にするために、セルの３ＧＰＰ概念が下記説明の中で使用される。
【００１４】
ＵＥ１２０は、システムの全体をとおして分散されることができる。ＵＥは、静止型あるいは移動型であってもよく、また、移動局、ターミナル、アクセスターミナル、加入者ユニット、ステーションなどと呼ばれることもある。ＵＥは、携帯電話(cellular phone)、携帯情報端末(personal digital assistant)（ＰＤＡ）、無線モデム、無線通信デバイス、ハンドヘルドデバイス、ラップトップコンピューター、コードレスホンなどであってもよい。ＵＥは、ダウンリンク(downlink)上およびアップリンク(uplink)上の伝送(transmissions)を解して１以上のｅＮＢｓと通信することができる。ダウンリンク（フォワードリンク(forward link)）は、ｅＮＢｓからＵＥへの通信リンクを指し、また、アップリンク（リバースリンク(reverse link)）は、ＵＥからｅＮＢｓへの通信リンクを指す。図１では、二重の矢を備えた実線は、ＵＥとｅＮＢの間の通信を示す。単一の矢を備えた破線は、ランダムアクセスを行なうＵＥを示す。
【００１５】
モビリティ管理エンティティ／システムアーキテクチャエボリューション(Mobility Management Entity/System Architecture Evolution)（ＭＭＥ／ＳＡＥ）ゲートウェイ１３０は、ｅＮＢｓ１１０に結合し、ＵＥ１２０の通信をサポートすることができる。例えば、ＭＭＥ／ＳＡＥゲートウェイ１３０は、ｅＮＢｓへのページングメッセージ(paging messages)の分配、セキュリティコントロール、アイドル状態モビリティコントロール(idle state mobility control)、ＳＡＥベアラコントロール(SAE bearer control)、上位層シグナリング(higher-layer signaling)の暗号化(ciphering)およびインテグリティ保護(integrity protection)、ページング理由(paging reasons)ためのユーザプレーンパケット(user plane packets)の終了、および、ＵＥモビリティ(UE mobility)のサポートのためのユーザプレーンのスイッチング(switching)、のような様々な機能(functions)を行なうことができる。システム１００は、他の機能をサポートする他のネットワークエンティティ(network entities)を含むことができる。ＬＴＥにおけるネットワークエンティティは、公的に入手可能な、２００７年３月の「発展型ユニバーサル地上無線アクセス（Ｅ−ＵＴＲＡ）および発展型ユニバーサル地上無線アクセスネットワーク（Ｅ−ＵＴＲＡＮ）(Evolved Universal Terrestrial Radio Access (E-UTRA) and Evolved Universal Terrestrial Radio Access Network (E-UTRAN))；全体的な説明(Overall description)」と題された３ＧＰＰ  ＴＳ  ３６．３００、の中で説明されている。
【００１６】
ＵＥは、コントロールプレーン(control plane)およびユーザプレーン(user plane)を介して、システム１００におけるネットワークエンティティと通信することができる。コントロールプレーンは、上位層のシグナリングを運ぶためのメカニズムである。ユーザプレーンは、上位層アプリケーションのデータを運ぶためのメカニズムである。
【００１７】
図２は、ＬＴＥにおけるコントロールプレーンについての、ＵＥ、ｅＮＢ、およびＭＭＥ／ＳＡＥゲートウェイでのプロトコルスタック(protocol stacks)を示す。ＵＥのプロトコルスタックは、非アクセス層(Non-Access Stratum)（ＮＡＳ）、無線リソース管理(Radio Resource Control)（ＲＲＣ）、無線リンクコントロール(Radio Link Control)（ＲＬＣ）、メディアアクセス制御(Medium Access Control)（ＭＡＣ）、および物理層(physical layer)（ＰＨＹ）を含んでいる。ＮＡＳは、ＳＡＥベアラ管理、認証(authentication)、アイドルＵＥｓ(idle UEs)のためのページング発信およびモビリティハンドリング(mobility handling)、およびセキュリティコントロール、のような機能を行うことができる。ＲＲＣは、ブロードキャスト、ページング、ＲＲＣコネクション管理、無線ベアラコントロール、モビリティ機能、および、ＵＥ測定リポーティングおよびコントロール、のような機能を行なうことができる。ＲＬＣは、セグメンテーション(segmentation)および再アセンブリ(re-assembly)、データの再整理(reordering of data)、およびＡＲＱ、のような機能を行なうことができる。ＭＡＣは、論理およびトランスポートチャネル間のマッピング(mapping)、データの多重化(multiplexing)および逆多重化(demultiplexing)、およびＨＡＲＱ、のような機能を行なうことができる。ＰＨＹは、無線上で(over the air)データを交換する機能を行なうことができる。ＲＲＣは、層３（Ｌ３）の一部であり、ＲＬＣとＭＡＣは層２（Ｌ２）の一部であり、また、ＰＨＹは層１（Ｌ１）の一部である。ＮＡＳは、ＭＭＥ／ＳＡＥゲートウェイで終了する(terminated)。ＲＲＣ、ＲＬＣ、ＭＡＣおよびＰＨＹは、ｅＮＢで終了する。
【００１８】
図３は、ＬＴＥにおけるＵＥについての状態ブロック図３００を示す。ＵＥは、いくつかのＮＡＳ状態(NAS states)、例えば、ＬＴＥ分離(LTE Detached)状態、ＬＴＥアイドル(LTE Idle)状態、およびＬＴＥアクティブ(LTE Active)状態、のうちの１つにおいて動作することができる。パワーアップ(power up)されると、ＵＥはＬＴＥ分離状態に入り、ＲＲＣ＿ＮＵＬＬ状態で動作することができる。ＬＴＥ分離状態においては、ＵＥは、システムにアクセスしておらず、システムによって知られていない。ＵＥは、最初のシステムアクセスを行ない、システムに登録することができる。ＵＥは、最初のシステムアクセスおよび登録プロシージャ(registration procedure)をとおしてアクティブなコネクション(active connection)を持つことができる。その後、ＵＥは、（ｉ）もしＵＥが、ダウンリンクあるいはアップリンク上で交換するデータを有するのであれば、ＬＴＥアクティブ状態へ、または、（ｉｉ）そうでなければ、ＬＴＥアイドル状態上へ、遷移することができる。
【００１９】
ＬＴＥアイドル状態においては、ＵＥは、アイドル状態であり(be idle)、ＲＲＣ＿ＩＤＬＥ状態で動作することができる。ＬＴＥアイドル状態においては、ＵＥおよびシステムは、ＵＥがＬＴＥアクティブ状態に速く遷移することを可能にするためにコンテキスト情報(context information)を有することができる。ＬＴＥアイドル状態中、送るか受け取るデータがあるとき、ＵＥは、ランダムアクセス、およびＬＴＥアクティブ状態への遷移を行なうことができる。ＬＴＥアクティブ状態においては、ＵＥは、ダウンリンクおよび／またはアップリンク上でシステムとアクティブに(actively)通信し、ＲＲＣ＿ＣＯＮＮＥＣＴＥＤ状態で動作することができる。ＬＴＥアクティブ状態から、ＵＥは、インアクティビティ(inactivity)のためＬＴＥアイドル状態に遷移して戻ることができる。ＵＥはまた、他の方法で様々な状態の間を遷移することができる。
【００２０】
ＵＥは、ＵＥが通信しているセルによってＣ−ＲＮＴＩを割り当てられることができる。Ｃ−ＲＮＴＩは、セルに対してＵＥを一意に識別する(uniquely identify)ために使用される一時的ＵＥ  ＩＤ(temporary UE ID)であり、そのセルに対してのみ有効である。ＵＥが、そのセルにランダムアクセスを行なうか、他の方法でセルへ知られるようになるときに、セルはＣ−ＲＮＴＩを割り当てることができる。図３の中で示されるように、ＬＴＥ分離状態あるいはＬＴＥアイドル状態にある間、ＵＥは、割り当てられたＣ−ＲＮＴＩを持つことをできないかもしれない、そして、ＬＴＥアクティブ状態にある間は、割り当てられたＣ−ＲＮＴＩを持つことができる。Ｃ−ＲＮＴＩは、ＵＥのためのＲＲＣコンテキスト(RRC context)の一部であってもよく、そして、ＬＴＥアクティブ状態においてのみ利用可能であってもよい。
【００２１】
図３の中で示されるように、ＵＥは、次のような様々なシナリオのランダムアクセスプロシージァを行なうことができる：
・ＬＴＥ分離状態からの最初のシステムアクセス、
・ＬＴＥアイドル状態中のランダムアクセス、
・ＬＴＥアクティブ状態中のタイミング同期化アップデート、そして
・ＬＴＥアクティブ状態中のハンドオーバのためのランダムアクセス。
【００２２】
「ランダムアクセス(random access)」、「システムアクセス(system access)」という用語は、しばしば区別なく使用される。
【００２３】
図４は、ランダムアクセスプロシージァ４００の設計のためのメッセージフローを示す。例えば、上記に示された任意のシナリオの場合に、ＵＥがシステムにアクセスすることを望む場合は常に、ＵＥは、アップリンクにおいてランダムアクセスチャンネル（ＲＡＣＨ）上でランダムアクセスプリアンブルを送信することができる（ステップ１）。ランダムアクセスプリアンブルはまた、アクセス署名(access signature)、アクセスプローブ()、ランダムアクセスプローブ(random access probe)、署名シーケンス(signature sequence)、ＲＡＣＨ署名シーケンス(RACH signature sequence)などと呼ばれるもことができる。ランダムアクセスプリアンブルはランダム識別子（ＩＤ）(random identifier (ID))を含むことができて、それは、ＵＥによって任意に選択されることができ、また、ＵＥからのランダムアクセスプリアンブルを識別するために使用されることができる。ランダムアクセスプリアンブルはまた、ダウンリンクチャネル品質インジケータ(downlink channel quality indicator)（ＣＱＩ）、アクセスタイプ、および／または、他の情報についての、ための１以上の追加ビットを含むことができる。ダウンリンクＣＱＩは、ＵＥによって測定されるようなダウンリンクチャネル品質を示すことができ、また、ＵＥにその後のダウンリンク送信を送るために、かつ／または、ＵＥにアップリンク（ＵＬ）リソースを割り当てるために、使用されることができる。アクセスタイプは、上記に示されたランダムアクセスの理由のうちのいずれかの１つを示すことができる。
【００２４】
１つの設計においては、複数のＲＡＣＨｓは、ランダムアクセスの使用に利用可能であってもよい。ＵＥは、ランダムに、利用可能なＲＡＣＨｓのうちの１つを選択し、選択されたＲＡＣＨ上でランダムアクセスプリアンブルを送信することができる。各ＲＡＣＨは、異なるランダムアクセスＲＮＴＩ（ＲＡ−ＲＮＴＩ）に関連付けられることができる。ランダムアクセスプロシージャ(random access procedure)の最初の部分について、ＵＥは、選択されたＲＡＣＨのためのＲＡ−ＲＮＴＩ、およびＵＥによって送られたランダムアクセスプリアンブルのためのＲＡプリアンブル識別子、の組合せによって、識別されることができる。
【００２５】
ｅＮＢは、ＵＥからランダムアクセスプリアンブルを受け取ることができ、そして、ＵＥに対して、ダウンリンク共有チャンネル(Downlink Shared Channel)（ＤＬ−ＳＣＨ）上でランダムアクセスレスポンスを送ることにより非同期に(asynchronously)応答することができる（ステップ２）。ランダムアクセスレスポンスは、ＲＡ−ＲＮＴＩに対してアドレス指定されることができ、次のことを伝えることができる：
・ＲＡプリアンブル識別子    −    応答されているランダムアクセスプリアンブルを識別する、
・タイミングアドバンス(Timing advance)（ＴＡ）    −    ＵＥの送信タイミングへの調整を示す、
・アップリンク許可(Uplink grant)    −    アップリンク送信についてＵＥに許可されるリソースを示す、そして
・一時的Ｃ−ＲＮＴＩ    −    ＵＥのＣ−ＲＮＴＩとして使用されることができる。
【００２６】
ランダムアクセスレスポンスはまた、異なる、および／または、他の情報を、含むことができる。
【００２７】
図３の中で示されるように、ＵＥは、ＬＴＥ状態のうちのいずれかにおいて動作している間、ランダムアクセスを行なうことができ、ＵＥに割り当てられたＣ−ＲＮＴＩを既に有している、あるいは有さないかもしれない。このＣ−ＲＮＴＩは、ここでの説明においては、有効なＣ−ＲＮＴＩ(valid C-RNTI)と呼ばれることもある。ＵＥは、ランダムアクセスのためのまさに第１のシグナリング(very first signaling)としてランダムアクセスプリアンブルを送ることができる。ランダムアクセスプリアンブルの設計は、ＵＥがランダムアクセスプリアンブルにおいて有効なＣ−ＲＮＴＩ（あるいはＵＥの現在のＬＴＥ状態）をすでに有しているかどうかを、ＵＥがｅＮＢに通知することができないように、してもよい。ｅＮＢは、ＵＥがすでに有効なＣ−ＲＮＴＩを有しているかどうかにかかわらずに、ＵＥに一時的Ｃ−ＲＮＴＩを割り付ける(allocate)ことができる。その後、ｅＮＢは、ＵＥに、ランダムアクセスレスポンスにおいてこの一時的Ｃ−ＲＮＴＩを送ることができる。一時的Ｃ−ＲＮＴＩのこの早期の割り付けは、ＵＥにＣ−ＲＮＴＩを割り当てる別のダウンリンクメッセージを送信する必要を避けることができる。
【００２８】
図４に参照すると、ＵＥは、ｅＮＢからのランダムアクセスレスポンスを受け取り、一時的Ｃ−ＲＮＴＩを含む情報のすべてを取り出す(extract)ことができる。１つの設計においては、もしＵＥが、ランダムアクセスを行なうことの前にまだ(already)有効なＣ−ＲＮＴＩを有していない場合、そのときは、ＵＥは、そのＣ−ＲＮＴＩとして一時的Ｃ−ＲＮＴＩを使用することができる。反対に、もしＵＥがランダムアクセスを行なうことの前にすでに有効なＣ−ＲＮＴＩを有する場合、ＵＥは、この有効なＣ−ＲＮＴＩを使用し続け、一時的Ｃ−ＲＮＴＩを廃棄することができる。もしＵＥが、成功したランダムアクセスを検知し、まだ有効なＣ−ＲＮＴＩがない場合、一時的Ｃ−ＲＮＴＩがＣ−ＲＮＴＩにこのようにプロモートされ(promoted)されてもよい。もしそれがすでに有効なＣ−ＲＮＴＩを有する場合は、一時的Ｃ−ＲＮＴＩはＵＥによってドロップされる(dropped)ことができる。
【００２９】
ＵＥは、その後、ｅＮＢにアップリンク上でスケジュールされた送信(scheduled transmission)を送ることができる（ステップ３）。スケジュールされた送信は、どのＣ−ＲＮＴＩがＵＥによって使用されるのかを示す情報を含むことができる    −    ランダムアクセスレスポンスにおいて送られる一時的Ｃ−ＲＮＴＩ、または、利用可能な場合は有効なＣ−ＲＮＴＩ。第1の設計(first design)では、スケジュールされた送信は、有効なＣ−ＲＮＴＩが利用可能であればそれを含んでおり、一時的Ｃ−ＲＮＴＩを含んでいない。第２の設計(second design)では、スケジュールされた送信は、ＵＥによって使用されるであろうＣ−ＲＮＴＩを含んでおり、それは、利用可能な場合の有効なＣ−ＲＮＴＩか一時的Ｃ−ＲＮＴＩである。第１の設計の場合、もしこのＣ−ＲＮＴＩがスケジュールされた送信で受け取られるのであれば、ＵＥがすでに有効なＣ−ＲＮＴＩを有しているということを、ｅＮＢは決定できる。第２の設計の場合、もしスケジュールされた送信で受け取られたＣ−ＲＮＴＩがランダムアクセスレスポンスで送られた一時的Ｃ−ＲＮＴＩとは異なるのであれば、ＵＥがすでに有効なＣ−ＲＮＴＩを有しているということを、ｅＮＢは決定できる。いずれのケースにおいても、ｅＮＢは、ＵＥによって送られた、スケジュールされた送信におけるＣ−ＲＮＴＩ情報（あるいはこの情報の無いこと）に基づいて、どのＣ−ＲＮＴＩがＵＥによって使用されるかを、決めることができる。もしＵＥがすでに有効なＣ−ＲＮＴＩを有する場合、そのときは、ｅＮＢは、スケジュールされた送信からこのＣ−ＲＮＴＩを受け取り、ＵＥのためのこのＣ−ＲＮＴＩに切り替え、そして、後の使用のために一時的Ｃ−ＲＮＴＩをリリースする(release)ことができる。
【００３０】
ステップ３においてスケジュールされた送信はまた、ダウンリンクＣＱＩ、パイロット測定レポート(pilot measurement report)などのような他の情報を含むことができ、それは、ｅＮＢによって後のダウンリンク送信に使用されることができる。スケジュールされた送信はまた、他のＬ３メッセージ、例えばイニシャルＮＡＳメッセージ(initial NAS message)、を含むことができる。
【００３１】
ｅＮＢは、コンテンション解像度(contention resolution)のためにＤＬ−ＳＣＨ上でメッセージを送信することができる（ステップ４）。複数のＵＥが同じＲＡＣＨの上で同じランダムアクセスプリアンブルを送るとき、衝突(collision)が生じることがあり得る。コンテンション解像度は、どのＵＥがアクセスを与えられるのを決定するために行なわれることができる。ステップ４におけるメッセージは、ステップ２におけるランダムアクセスレスポンスで送られる一時的Ｃ−ＲＮＴＩに、アドレス指定されることができ、コンテンション解像度に関連する任意の情報、例えばＵＥのコアネットワークレベルＩＤ、を含むことができる。ｅＮＢはまた、ステップ３においてＵＥによって送られたＬ３メッセージ、もしあれば、レスポンスを送ることができる（ステップ５）。
【００３２】
図４において示される設計は、ＵＥとｅＮＢとの間のＣ−ＲＮＴＩを再同期させる便利な方法を提供する。設計は、最初のシステムアクセス、アクティブ状態への遷移、タイミング同期化アップデート、ハンドオーバなど、のような様々なシナリオにおいてランダムアクセスに使用される同じあるいは、同様のメッセージフローを可能にする。
【００３３】
図５は、ソースｅＮＢからターゲットｅＮＢへのハンドオーバ、例えば、図１におけるｅＮＢ１１０ａからｅＮＢ１１０ｂへのＵＥ１２０ｘのハンドオーバ、のためのメッセージフロー５００の設計を示す。明確にするために、ＵＥのハンドオーバに関連するシグナリングおよび機能のみが下記に説明される。
【００３４】
ソースｅＮＢは、ＵＥのための測定プロシージャを構成する(configure)ことができ（ステップ１）、そして、ＵＥは、ソースｅＮＢに測定レポートを送ることができる（ステップ２）。ソースｅＮＢは、ＵＥをハンドオフする決定(decision to hand off the UE)を行うことができ（ステップ３）、そして、ターゲットｅＮＢに、ハンドオーバリクエストメッセージ(Handover Request message)を出すことができる（ステップ４）。ソースｅＮＢは、ＵＥについてのコンテキスト情報を送ることができ、それは、ＲＲＣコンテキスト、ＳＡＥベアラコンテキスト、および／または、ＵＥの通信をサポートするために使用される他の情報を含むことができる。ターゲットｅＮＢは、アドミッションコントロール(admission control)を行なうことができ、ＵＥのハンドオーバを受理する(accept)ことができる（ステップ５）。１つの設計においては、ターゲットｅＮＢは、Ｃ−ＲＮＴＩをＵＥに割り当てることができ、このＣ−ＲＮＴＩに、ＵＥのためのコンテキスト情報を関連させることができる。Ｃ−ＲＮＴＩは、このようにして、コンテキスト情報の識別子として使用されることができる。ターゲットｅＮＢは、そのあと、ソースｅＮＢに、ハンドオーバリクエスト肯定応答(Acknowledgement)（Ａｃｋ）を返すことができる（ステップ６）。このハンドオーバリクエストＡｃｋは、ＵＥに割り当てられたＣ−ＲＮＴＩを含むことができる。
【００３５】
ソースｅＮＢは、そのあと、ＵＥに、ハンドオーバコマンド(Handover Command)を送ることができる（ステップ７）。このハンドオーバコマンドは、ターゲットｅＮＢによってＵＥに割り当てられたＣ−ＲＮＴＩを含むことができる。たとえＵＥがターゲットｅＮＢといずれのシグナリングを交換していなくても、ＵＥは、このように、ターゲットｅＮＢのための有効なＣ−ＲＮＴＩを有することができる。その後、ＵＥは、ソースｅＮＢから分離し(detach)、ターゲットｅＮＢでランダムアクセスを行なう。ランダムアクセスの一部として、ＵＥは、ターゲットｅＮＢへの同期を行なうことができ、アップリンクタイミングアドバンスをスタートすることができる（ステップ８）。ターゲットｅＮＢは、ＵＥのためのリソース割振り(resource allocation)およびタイミングアドバンスで応答することができる（ステップ９）。
【００３６】
１つの設計では、ステップ８の場合、ＵＥは、ターゲットｅＮＢにＲＡＣＨ上でランダムアクセスプリアンブルを送ることができ、それは、図４におけるステップ１に対応することができる。ターゲットｅＮＢは、ランダムアクセスプリアンブルを受け取ることができるが、ＵＥの識別情報(identity)を、あるいは、ターゲットｅＮＢがすでにＵＥにＣ−ＲＮＴＩを割り当てたことを知らないかもしれない。ターゲットｅＮＢは、このように、通常の方法で(in the normal manner)ＵＥに一時的Ｃ−ＲＮＴＩを割り付けることができる。ステップ９の場合、ターゲットｅＮＢは、ＵＥに、ＤＬ−ＳＣＨ上でランダムアクセスレスポンスを送ることができ、それは、図４におけるステップ２に対応することができる。ランダムアクセスレスポンスは、一時的Ｃ−ＲＮＴＩおよび他の情報、例えば、ＵＬリソース割振り、タイミングアドバンスなど、を含むことができる。ＵＥは、ステップ７において受け取られた有効なＣ−ＲＮＴＩを使用し続けることができ、ステップ９において受け取られた一時的Ｃ−ＲＮＴＩを廃棄する(discard)ことができる。
【００３７】
ターゲットｅＮＢに成功裡に(successfully)アクセスすると、ＵＥは、ＵＥについてハンドオーバプロシージャが完了されていることを示すためにターゲットｅＮＢにハンドオーバ確認メッセージ(Handover Confirm message)を送ることができる（ステップ１０）。このハンドオーバ確認メッセージは、ターゲットｅＮＢによってＵＥに割り当てられ、そしてステップ７におけるソースｅＮＢ経由で(via)受け取られたＣ−ＲＮＴＩ、を含むことができる。ターゲットｅＮＢは、ＵＥがハンドオーバ確認メッセージから受け取られたＣ−ＲＮＴＩに基づく有効なＣ−ＲＮＴＩをすでに有することを認識することができる。ターゲットｅＮＢは、ステップ４においてソースｅＮＢから受け取られたコンテキスト情報とＵＥとを一致させる(match)ために、この有効なＣ−ＲＮＴＩを使用することができる。ターゲットｅＮＢは、後の使用のために一時的Ｃ−ＲＮＴＩをリリースする(release)ことができる。図５におけるステップ８から１０は、ハンドオーバためのランダムアクセスプロシージャ一部と見なされることができる。
【００３８】
ターゲットｅＮＢは、ＵＥがｅＮＢを変更したことをＭＭＥ／ＳＡＥゲートウェイ(MME/SAE gateway)に通知するために、ハンドオーバ完了メッセージ(Handover Complete message)を送信することができる、（ステップ１１）。その後、ＭＭＥ／ＳＡＥゲートウェイは、ＵＥのためのダウンリンクデータ経路を、ソースｅＮＢからターゲットｅＮＢに切り替えることができる。ＭＭＥ／ＳＡＥゲートウェイはまた、ターゲットｅＮＢに、ハンドオーバ完了Ａｃｋメッセージを返すことができる（ステップ１２）。ＵＥの成功したハンドオーバを示すために、ターゲットｅＮＢは、ソースｅＮＢに、リリースリソースメッセージ(Release Resource message)を送信することができる（ステップ１３）。リリースリソースメッセージを受信すると、ソースｅＮＢは、ＵＥのためのリソースをリリースすることができる（ステップ１４）。
【００３９】
図６は、ソースｅＮＢからターゲットｅＮＢへのＵＥのハンドオーバのための、メッセージフロー６００の設計を示す。図６は、各ｅＮＢの別々のエンティティとしてＰＨＹ／ＭＡＣ（Ｌ１／Ｌ２）およびＲＲＣ（Ｌ３）を示す。図６はまた、ハンドオーバためのソースとターゲットのｅＮＢｓでのＬ１／Ｌ２およびＬ３のエンティティとＵＥとの間で交換されるシグナリングを示す。
【００４０】
ソースｅＮＢは、ＵＥのための測定プロシージャを構成することができ、また、ＵＥは、ソースｅＮＢに、測定レポートを送ることができる（ステップ２）。ソースｅＮＢは、ＵＥをハンドオフする決定を行うことができ（ステップ３）、そして、ターゲットｅＮＢに、ＵＥのためのハンドオーバリクエストメッセージおよびコンテキスト情報を送信することができる（ステップ４）。１つの設計では、ターゲットｅＮＢでのＲＲＣは、ＵＥにＣ−ＲＮＴＩを割り当てることができ、このＣ−ＲＮＴＩに、ＵＥのためのコンテキスト情報を関連させることができる。ターゲットｅＮＢでＲＲＣは、ターゲットｅＮＢでのＬ１／Ｌ２にリソースセットアップメッセージ(Resource Setup message)を送信することができ（ステップ５）、それは、アドミッションコントロールを行ない（ステップ６）、リソースセットアップＡｃｋで応答する（ステップ７）ことができる。その後、ターゲットｅＮＢでのＲＲＣは、ソースｅＮＢに、Ｃ−ＲＮＴＩを備えた(with the C-RNTI)ハンドオーバレスポンスを返すことができる（ステップ８）。
【００４１】
その後、ソースｅＮＢは、ＵＥに、Ｃ−ＲＮＴＩを備えたハンドオーバコマンドを送ることができる（ステップ９）。ＵＥは、ターゲットｅＮＢを用いてランダムアクセスを行なうことができる（ステップ１１）。ステップ１１の場合、ＵＥはターゲットｅＮＢにランダムアクセスプリアンブルを送ることができる。ターゲットｅＮＢは、ＵＥに一時的Ｃ−ＲＮＴＩを割り付けて、ＵＥに、この一時的Ｃ−ＲＮＴＩを備えたランダムアクセスレスポンスを送ることができる。成功裡にターゲットｅＮＢにアクセスすると、ＵＥは、ターゲットｅＮＢにＣ−ＲＮＴＩを備えたハンドオーバ完了メッセージを送信することができる（ステップ１２）。ターゲットｅＮＢは、ランダムアクセスレスポンス中の一時的Ｃ−ＲＮＴＩとは異なっているハンドオーバ完全メッセージ中のＣ−ＲＮＴＩに基づく有効なＣ−ＲＮＴＩをすでに有することを認識することができる。ターゲットｅＮＢは、ステップ４におけるソースｅＮＢから受け取られたコンテキスト情報とＵＥとを一致させるためにこの有効なＣ−ＲＮＴＩを使用することができる。ターゲットｅＮＢは、後の使用のために一時的Ｃ−ＲＮＴＩをリリースすることができる。
【００４２】
ＭＭＥ／ＳＡＥゲートウェイは、ソースｅＮＢ（ステップ１０）か、ターゲットｅＮＢ（ステップ１３）か、からのＵＥのためのデータ経路、を切り替えるメッセージを受け取ることができる。その後、ＭＭＥ／ＳＡＥゲートウェイは、ＵＥのためのデータ経路を、ソースｅＮＢからターゲットｅＮＢに切り替えることができ、そして、ソースｅＮＢにリリースコマンドを返すことができる（ステップ１４）。ソースｅＮＢでは、ＲＲＣは、ＵＥのためのリソースをリリースするためにＬ１／Ｌ２に通知することができる（ステップ１５）。
【００４３】
図７は、ソースｅＮＢからターゲットｅＮＢへのＵＥのハンドオーバのためのメッセージフロー７００の設計を示す。メッセージフロー７００は、スタンドアロンのメッセージフローであってもよいし、あるいは、図５におけるメッセージフロー５００または図６におけるメッセージフロー６００の一部であってもよい。
【００４４】
ＵＥは、ソースｅＮＢに測定レポートを送ることができる（ステップ１）。ソースｅＮＢは、ＵＥをハンドオフする決定を行うことができ、そして、ターゲットｅＮＢに、ＵＥのためのコンテキスト情報を備えたハンドオーバリクエストメッセージを送信することができる（ステップ２）。ターゲットｅＮＢは、ハンドオーバを受理し、ＵＥにＣ−ＲＮＴＩを割り当て、このＣ−ＲＮＴＩに、ＵＥのためのコンテキスト情報を関連させることができる（ステップ３）。その後、ターゲットｅＮＢは、ソースｅＮＢに、Ｃ−ＲＮＴＩを備えたハンドオーバリクエストＡｃｋを返すことができる（ステップ４）。
【００４５】
その後、ソースｅＮＢは、ＵＥにＣ−ＲＮＴＩを備えたハンドオーバコマンドを送ることができる（ステップ５）。ＵＥは、ターゲットｅＮＢでランダムアクセスを行なうことができるし、ターゲットｅＮＢにランダムアクセスプリアンブルを送ることができる（ステップ６）。ターゲットｅＮＢは、ＵＥに一時的Ｃ−ＲＮＴＩを割り付けることができ（ステップ７）、そして、ＵＥに、この一時的Ｃ−ＲＮＴＩと場合により他の情報とを備えたランダムアクセスレスポンスを送ることができる（ステップ８）。ＵＥは、ターゲットｅＮＢに、ステップ５で受け取られたＣ−ＲＮＴＩを備えたハンドオーバ確認メッセージ(Handover Confirm message)を送ることができる（ステップ９）。ＵＥが、ランダムアクセスレスポンスの中の一時的Ｃ−ＲＮＴＩとは異なっているハンドオーバ確認メッセージの中のＣ−ＲＮＴＩに基づく、有効なＣ−ＲＮＴＩをすでに有することを、ターゲットｅＮＢは、認識することができる。ターゲットｅＮＢは、この有効なＣ−ＲＮＴＩに切り替え、一時的Ｃ−ＲＮＴＩをリリースすることができる（ステップ１０）。
【００４６】
図５から７までは、ランダムアクセスを行なう前に、ＵＥがすでに有効なＣ−ＲＮＴＩを有している、ハンドオーバシナリオを示す。ランダムアクセスを行なう前に、ＵＥが有効なＣ−ＲＮＴＩを有する他のシナリオがあり得る。例えば、ＬＴＥアクティブ状態にあって、サービングｅＮＢ(serving eNB)と通信している間、ＵＥは、アップリンクタイミング同期化アップデートのためにランダムアクセスを行なうことができる。
【００４７】
すでに有効なＣ−ＲＮＴＩを有するときに、ＵＥがランダムアクセスを行なう各ケースの場合、ｅＮＢは、ランダムアクセスプロシージァの間に、ＵＥに、一時的Ｃ−ＲＮＴＩを割り当てることができる。ＵＥは、有効なＣ−ＲＮＴＩを送ることにより、応答することができ、そして、一時的Ｃ−ＲＮＴＩを廃棄する(discard)ことができる。ｅＮＢは、ＵＥのためのコンテキスト情報にＵＥを関連付ける有効なＣ−ＲＮＴＩを使用することができる。ｅＮＢは、ＵＥからそれを受け取ると、有効なＣ−ＲＮＴＩを使用することができ、後の使用のために、一時的Ｃ−ＲＮＴＩをリリースすることができる。
【００４８】
ＵＥは、また、有効なＣ−ＲＮＴＩを持たずにランダムアクセスを、例えば最初のシステムアクセスのために、ＬＴＥアイドル状態からのランダムアクセスのためなどに、行なうことができる。各そのようなシナリオでは、ＵＥは、新しく割り当てられたＣ−ＲＮＴＩとして一時的Ｃ−ＲＮＴＩを、使用することができる。ＵＥは、ｅＮＢにアップリンクメッセージ（例えばＲＲＣコネクションメッセージ(RRC Connection Request message)）の中でこのＣ−ＲＮＴＩを送ることを省略する(omit)ことができる。ｅＮＢは、そのとき、ＵＥがこのＣ−ＲＮＴＩで構成されている(configured)と仮定することができる。
【００４９】
］  ここに記述された技術は、ある利点を提供することができる。第一に、同じＣ−ＲＮＴＩ処理が、様々なシナリオにおけるランダムアクセスに使用されることができる。これは、ランダムアクセスプロシージァを単純化し、かつ／または、ランダムアクセスプロシージァがより多くのシナリオに使用されることを可能にすることができる。第二に、有効なＣ−ＲＮＴＩｓをすでに割り当てられたＵＥｓは、これらのＣ−ＲＮＴＩｓを使用し続けることができる。これらのＵＥｓのオペレーションおよびｅＮＢｓは、必要でないときにＣ−ＲＮＴＩｓへの変更を回避することにより単純化されることができる。第三に、ハンドオーバシナリオにおいては、ハンドオーバ完了メッセージの中ではソースｅＮＢによって割り当てられた古いＣ−ＲＮＴＩの送信は、必要とされない。
【００５０】
上記に説明された設計では、ＵＥは、ランダムアクセスのためのランダムアクセスレスポンスを受け取った後に、スケジュールされた送信の中で有効なＣ−ＲＮＴＩを送ることができる。別の設計では、ＵＥは、コアネットワーク一時的識別情報(core network temporary identity)、例えば、一時的移動体加入者識別情報(Temporary Mobile Subscriber Identity)（ＴＭＳＩ）、パケット−ＴＭＳＩなど、を送ることができる。ｅＮＢは、ＵＥのためのコンテキスト情報を識別するために、コアネットワークに一時的識別情報を使用することができる。別の設計では、ＵＥは、ＵＥのＲＲＣコンテキストに関連したＲＲＣ識別情報を送ることができる。ＲＲＣ識別情報は、ｅＮＢによって、ＵＥの最初のサービングセルに対して割り付けられることができる。たとえＵＥがｅＮＢからｅＮＢにハンドオーバされた(handed over)としても、同じＲＲＣ識別情報が、ＵＥのために使用されることができる。ＲＲＣ識別情報は、ＲＲＣ識別情報のサブセット(subset)として、最初のサービングセルの識別情報を使用することにより、全体のシステムにわたって一意であるようにされる(made unique)ことができる。
【００５１】
図８は、ＵＥによってランダムアクセスを行なうためのプロセス８００の設計を示す。ＵＥは、ランダムアクセスのためにランダムアクセスプリアンブルを送ることができる（ブロック８１２）。ＵＥは、一時的Ｃ−ＲＮＴＩを備えるランダムアクセスレスポンスを受け取ることができる（ブロック８１４）。もし有効なＣ−ＲＮＴＩがまだ利用可能でない場合は、ＵＥは、それ自身のＣ−ＲＮＴＩとして一時的Ｃ−ＲＮＴＩを使用することができる（ブロック８１６）。もし利用可能であれば、ＵＥは、一時的Ｃ−ＲＮＴＩを廃棄し、有効なＣ−ＲＮＴＩを使用することができる（ブロック８１８）。ＵＥは、ランダムアクセスレスポンスを受け取った後に送信を送ることができ、そして、もし利用可能であれば、送信は、有効なＣ−ＲＮＴＩを含むことができる（ブロック８２０）。もしそれがＵＥに対してＣ−ＲＮＴＩとして使用される場合は、送信は、一時的Ｃ−ＲＮＴＩを省略しても、あるいは含まなくてもよい。
【００５２】
ＵＥは、様々なシナリオのランダムアクセスのためのプロセス８００を行なうことができる。ハンドオーバの場合、ＵＥは、ランダムアクセスに先立ってソース基地局から有効なＣ−ＲＮＴＩを受け取ることができる。有効なＣ−ＲＮＴＩは、ターゲット基地局によって割り当てられ、ソース基地局へ送られ、そして、ハンドオーバコマンドにおいてソース基地局によってＵＥへ転送されることができる。ＵＥは、ソース基地局からターゲット基地局へハンドオーバのためにランダムアクセスプリアンブルを送ることができ、そして、ターゲット基地局からランダムアクセスレスポンスを受け取ることができる。
【００５３】
ＵＥは、最初のシステムアクセスのために、ランダムアクセスプリアンブルを送ることができ、ＵＥのＣ−ＲＮＴＩとして一時的Ｃ−ＲＮＴＩを使用することができる。ＵＥは、アイドル状態からアクティブ状態への遷移のために、ランダムアクセスプリアンブルを送ることができ、そしてまた、ＵＥのＣ−ＲＮＴＩとして一時的Ｃ−ＲＮＴＩを使用することができる。有効なＣ−ＲＮＴＩが利用可能なとき、ＵＥは、タイミング同期化アップデートのためにランダムアクセスプリアンブルを送ることができる。その後、ＵＥは、一時的Ｃ−ＲＮＴＩを廃棄し、有効なＣ−ＲＮＴＩを使用し続けることができる。
【００５４】
一般に、Ｃ−ＲＮＴＩは、セルとのコミュニケーションのために、ＵＥを識別するために使用される任意の一時的ＵＥ  ＩＤであってよい。Ｃ−ＲＮＴＩはまた、ＭＡＣ  ＩＤなどと呼ばれることがある。Ｃ−ＲＮＴＩおよびＭＡＣ  ＩＤは、それらが通信セッションに有効であることができ、ＵＥの寿命の間、ＵＥに永久には割り当てられない、という点で、一時的ＵＥ  ＩＤである。
【００５５】
図９は、ランダムアクセスを行なうための装置９００の設計を示す。装置９００は、ＵＥによるランダムアクセスためのランダムアクセスプリアンブルを送るための手段（モジュール９１２）と、一時的Ｃ−ＲＮＴＩを備えるランダムアクセスレスポンスを受け取るための手段（モジュール９１４）と、有効なＣ−ＲＮＴＩがまだ利用可能でない場合は、ＵＥのＣ−ＲＮＴＩとして一時的Ｃ−ＲＮＴＩを使用するための手段（モジュール９１６）と、もし利用可能な場合は、一時的Ｃ−ＲＮＴＩを廃棄し、有効なＣ−ＲＮＴＩを使用するための手段（モジュール９１８）と、そして、ランダムアクセスレスポンスを受け取った後に、送信（なお送信はもし利用可能な場合は有効なＣ−ＲＮＴＩを含む）を送るための手段（モジュール９２０）と、を含む。
【００５６】
図１０は、基地局、例えばｅＮＢあるいはノードＢ、によってランダムアクセスをサポートするためのプロセス１０００の設計を示す。基地局は、ＵＥによるランダムアクセスためのランダムアクセスプリアンブルを受け取ることができる（ブロック１０１２）。基地局は、ＵＥに一時的Ｃ−ＲＮＴＩを割り当てることができ（ブロック１０１４）、そして、ＵＥに、一時的Ｃ−ＲＮＴＩを備えるランダムアクセスレスポンスを送ることができる（ブロック１０１６）。基地局は、ランダムアクセスレスポンスを送った後に、ＵＥから送信を受け取ることができる（ブロック１０１８）。１つの設計では、もしＵＥで利用可能な場合は、送信は、有効なＣ−ＲＮＴＩを備えることができ、そして、もしそれがＵＥによってＣ−ＲＮＴＩとして使用される場合は、一時的Ｃ−ＲＮＴＩを含まないかもしれない(may not include)。もし有効なＣ−ＲＮＴＩがＵＥでまだ利用可能でない場合は、基地局はＵＥのＣ−ＲＮＴＩとして一時的Ｃ−ＲＮＴＩを使用することができる（ブロック１０２０）。もしＵＥから受け取られれば、基地局は、一時的Ｃ−ＲＮＴＩをリリースし、有効なＣ−ＲＮＴＩを使用することができる（ブロック１０２２）。
【００５７】
基地局は、様々なシナリオのプロセス１０００を行なうことができる。ハンドオーバの場合、基地局は、ターゲット基地局であることができ、ＵＥのためのソース基地局からハンドオーバリクエストを受け取ることができる。ターゲット基地局は、ハンドオーバリクエストに応じて、ＵＥに有効なＣ−ＲＮＴＩを割り当てることができ、そして、ＵＥへ転送するためにソース基地局へ有効なＣ−ＲＮＴＩを送ることができる。ターゲット基地局は、その後、ソース基地局からターゲット基地局へのハンドオーバのために、ＵＥからランダムアクセスプリアンブルを受け取ることができる。
【００５８】
基地局は、最初のシステムアクセスために、ＵＥからランダムアクセスプリアンブルを受け取ることができ、そして、ＵＥのＣ−ＲＮＴＩとして一時的Ｃ−ＲＮＴＩを使用することができる。基地局は、アイドル状態からアクティブ状態への遷移のために、ＵＥからランダムアクセスプリアンブルを受け取ることができ、そしてまた、ＵＥのＣ−ＲＮＴＩとして一時的Ｃ−ＲＮＴＩを使用することもできる。もしＵＥがすでに有効なＣ−ＲＮＴＩを有するときは、基地局は、タイミング同期化アップデートために、ＵＥからランダムアクセスプリアンブルを受け取ることができる。その後、基地局は、一時的Ｃ−ＲＮＴＩをリリースし、ＵＥのための有効なＣ−ＲＮＴＩを使用することができる。
【００５９】
図１１は、ランダムアクセスをサポートするための装置１１００の設計を示す。装置９００は、ＵＥによるランダムアクセスためのランダムアクセスプリアンブルを受け取るための手段（モジュール１１１２）と、ＵＥに一時的Ｃ−ＲＮＴＩを割り当てるための手段（モジュール１１１４）と、ＵＥに、一時的Ｃ−ＲＮＴＩを備えるランダムアクセスレスポンスを送るための手段（モジュール１１１６）と、ランダムアクセスレスポンスを送った後に、ＵＥから送信を受け取るための手段（モジュール１１１８）と、もしＵＥで有効なＣ−ＲＮＴＩがまだ利用可能でない場合は、ＵＥのＣ−ＲＮＴＩとして一時的Ｃ−ＲＮＴＩを使用するための手段（モジュール１１２０）と、そして、もしＵＥから受け取られれば、一時的Ｃ−ＲＮＴＩをリリースし、有効なＣ−ＲＮＴＩを使用するための手段（モジュール１１２２）と、を含んでいる
図９および１１におけるモジュールは、プロセッサ、エレクトロニクスデバイス、ハードウェアデバイス、エレクトロニクスコンポーネント、論理回路、メモリ、等、あるいは、それらの任意の組合せ、を備えることができる。
【００６０】
図１２は、ＵＥ１２０、サービング／ソース基地局１１０ａ、およびターゲット基地局１１０ｂ、の設計のブロック図を示す。基地局１１０ａでは、送信プロセッサ１２１４ａは、データ送信装置１２１２ａトラヒックデータを、そして、コントローラ／プロセッサ１２３０ａおよびスケジューラ１２３４ａからシグナリングを、受け取ることができる。例えば、コントローラ／プロセッサ１２３０ａは、ランダムアクセスにメッセージを、そして、ＵＥ１２０にハンドオーバを、提供することができる。スケジューラ１２３４ａは、ＤＬおよび／またはＵＬリソースの割り当てをＵＥ１２０に提供することができる。送信プロセッサ１２１４ａは、トラヒックデータ、シグナリング、およびパイロット、を処理する（例えば、符号化する、インタリーブする(interleave)、そして、シンボルマッピングする(symbol map)）ことができ、データシンボル、シグナリングシンボル、および、パイロットシンボル、をそれぞれ提供することができる。モジュレータ（ＭＯＤ）１２１６ａは、データ、シグナリング、および、パイロットのシンボル上で変調(modulation)（例えばＯＦＤＭのための）を実行し、そして、アウトプットチップ(output chips)を提供することができる。送信器（ＴＭＴＲ）１２１８ａは、アウトプットチップを条件付けし(conditions)（例えば、アナログに変換し、増幅し、フィルタをかけ、そしてアップコンバートし）、そして、ダウンリンク信号を生成する、それはアンテナ１２２０ａを経由して送信されることができる。
【００６１】
基地局１１０ｂは、同様に基地局１１０ｂによってサービス提供を受けるＵＥのためのトラヒックデータおよびシグナリングを同様に処理することができる。トラヒックデータ、シグナリング、およびパイロットは、送信プロセッサ１２１４ｂによって処理され、モジュレータ１２１６ｂによって変調され、送信器１２１８ｂによって条件付けられ、調整されることができ、アンテナ１２２０ｂを経由して送信されることができる。
【００６２】
ＵＥ１２０では、アンテナ１２５２は、基地局１１０ａおよび１１０ｂ、そして多分他の基地局から、ダウンリンク信号を受け取ることができる。受信機（ＲＣＶＲ）１２５４は、アンテナ１２５２からの受信信号を条件付けし（例えば、フィルタをかけ、増幅し、ダウンコンバートし、そして、デジタル化し）、サンプルを提供することができる。復調器（ＤＥＭＯＤ）１２５６は、サンプル上で復調（例えばＯＦＤＭのための）を行ない、シンボル評価(symbol estimates)を提供することができる。受信プロセッサ１２５８は、シンボル評価を処理し（例えば、シンボルデマッピングし(symbol demap)、デインタリーブし(deinterleave)、そして、デコードし）、データシンク１２６０にデコードされたデータを提供し、コントローラ／プロセッサ１２７０にデコードされたシグナリングを提供することができる。
【００６３】
アップリンク上で、送信プロセッサ１２８２は、データ送信装置１２８０からトラヒックデータを、そして、コントローラ／プロセッサ１２７０からのシグナリング（例えば、ランダムアクセス、ハンドオーバなどための）を、受け取り、処理することができる。モジュレータ１２８４は、プロセッサ１２８２からのシンボル上で変調（例えばＳＣ−ＦＤＭのための）を行ない、アウトプットチップを提供することができる。送信器１２８６は、アウトプットチップを条件付けし、アップリンク信号を生成することができ、それはアンテナ１２５２経由で送信されることができる。各基地局では、ＵＥ１２０および他のＵＥｓからのアップリンク信号が、アンテナ１２２０によって受け取られ、受信機１２４０によって条件付けられ、復調器１２４２によって復調され、そして、受信プロセッサ１２４４によって処理されることができる。プロセッサ１２４４は、データシンク(data sink)１２４６に、デコードされたデータを提供し、コントローラ／プロセッサ１２３０にデコードされたシグナリングを提供することができる。
【００６４】
コントローラ／プロセッサ１２３０ａ、１２３０ｂおよび１２７０は、基地局１１０ａおよび１１０ｂとＵＥ１２０とにおいて、それぞれ、オペレーションを指図することができる。メモリ１２３２ａ、１２３２ｂおよび１２７２は、基地局１１０ａおよび１１０ｂとＵＥ１２０とのための、データとプログラムのコードを、それぞれ保存することができる。スケジューラ１２３４ａおよび１２３４ｂは、基地局１１０ａおよび１１０ｂとの通信のためのＵＥｓをそれぞれスケジュールする(schedule)ことができ、そして、スケジュールされたＵＥｓに無線リソースを割り当てることができる。
【００６５】
図１２の中のプロセッサは、ここに説明された技術のための様々な機能を行なうことができる。例えば、ＵＥ１２０でのプロセッサは、図８におけるプロセス８００、メッセージフロー４００、５００、６００および７００におけるＵＥのための処理、および／または、ここに説明された技術の他のプロセス、をインプリメントする(implement)ことができる。各基地局１１０でのプロセッサは、図１０におけるプロセス１０００、メッセージフロー４００におけるｅＮＢのための処理、メッセージフロー５００、６００および７００におけるソースあるいはターゲットｅＮＢのための処理、および／または、ここに説明された技術の他のプロセス、をインプリメントすることができる。
【００６６】
当業者は、情報および信号は、様々な異なる技術および技法のうちの任意のものを使用して表わされることができる、ということを理解するであろう。例えば、上記の説明の全体をとおして参照され得るデータ、命令、コマンド、情報、信号、ビット、シンボル、およびチップは、電圧、電流、電磁波、磁場または磁性粒子、光場または光粒子、あるいはそれらの任意の組合せ、によって表わされることができる。
【００６７】
等業者はさらに、ここでの開示に関連して説明された様々な説明のための論理ブロック、モジュール、回路、およびアルゴリズムステップは、電子ハードウェア、コンピューターソフトウェア、あるいは両方の組合せとしてインプリメントされることができるということを、理解するであろう。ハードウェアとソフトウェアのこの互換性を明確に説明するために、様々な説明のためのコンポーネント、ブロック、モジュール、回路、およびステップが、一般にそれらの機能性の点から上記に説明されてきた。そのような機能性がハードウェアあるいはソフトウェアとしてインプリメントされるかどうかは、全体的なシステムに課された特定のアプリケーションおよび設計の制約に依存する。熟練技術者は、各特定のアプリケーションについて、さまざまな方法で、説明された機能性をインプリメントすることができるが、しかし、そのようなインプリメンテーションの決定は、本開示の範囲からの逸脱を生じさせるものとして解釈されるべきでない。
【００６８】
ここでの開示に関係して説明された様々な説明のための論理ブロック、モジュール、および、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、ここに説明された機能を実行するように設計されたそれらの任意の組合せで、インプリメントされる、あるいは実行されることができる。汎用プロセッサは、マイクロプロセッサであってもよいし、しかし別の方法では、プロセッサは、任意の従来のプロセッサ、コントローラ、マイクロコントローラ、あるいは、状態機械であってもよい。プロセッサはまた、コンピューティングデバイスの組み合わせ、例えば、ＤＳＰとマイクロプロセッサの組合せ、複数のマイクロプロセッサ、ＤＳＰコアと併せた１つまたは複数のマイクロプロセッサ、あるいは他のそのようなコンフィギュレーション(configuration)、としてインプリメントされることもできる。
【００６９】
ここでの開示に関係して説明された方法またはアルゴリズムのステップは、ハードウェアで直接的に、プロセッサによって実行されるソフトウェアモジュールで、あるいはこの２つの組合せで、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは、任意の他の形態の当技術分野で知られている記憶媒体の中に常駐してもよい。例示的な記憶媒体は、プロセッサが記憶媒体から情報を読むことができ、そして、記憶媒体へ情報を書くことができるように、プロセッサに結合される。別の方法では、記憶媒体は、プロセッサと一体となっていてもよい。プロセッサおよび記憶媒体は、ＡＳＩＣ中に常駐してもよい。ＡＳＩＣはユーザ端末に常駐してもよい。別の方法では、プロセッサと記憶媒体は、ユーザ端末中でディスクリートコンポーネントとして常駐してもよい。
【００７０】
１つ以上の例示的な設計においては、説明された機能は、ハードウェア、ソフトウェア、ファームウェア、あるいはそれらの任意の組合せの中で、インプリメントされることができる。もしソフトウェア中でインプリメントされる場合は、機能は、1つ以上の命令あるいはコードとして、コンピュータ可読媒体上に保存され、あるいは、コンピュータ可読媒体上で伝送されることができる。コンピュータ可読媒体(computer-readable media)は、コンピュータ記憶装置メディア(computer storage media)および通信メディア(communication media)の両方を含み、ある場所から別の場所へのコンピュータープログラムの転送を容易にする任意の媒体を含んでいる。記憶媒体は、汎用または特定用途のコンピュータによってアクセスされることができる任意の利用可能な媒体であってもよい。一例として、限定ではないが、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置デバイス、あるいは、命令またはデータ構造の形態で望まれるプログラムコード手段を搬送または保存するために使用されることができ、汎用または特定用途のコンピュータ、あるいは、汎用または特定用途のプロセッサ、によってアクセスされることができる、任意の他の媒体、を含むことができる。また、どんなコネクション(connection)も、適切に、コンピュータ可読媒体と名付けられる。例えば、もし、ソフトウェアが、同軸ケーブル、光ファイバケーブル、ツイストペア(twisted pair)、デジタル加入者線（ＤＳＬ）、または、赤外線、無線通信(radio)、およびマイクロ波のような無線技術を使用して、ウェブサイト、サーバ、あるいは、他の遠隔ソースから送信される場合、そのときは、同軸ケーブル、光ファイバケーブル、ツイストペア、ＤＳＬ、または赤外線、無線通信およびマイクロ波のような無線技術は、媒体の定義に含まれる。ここに使用されるような、ディスク(disk)およびディスク(disc)は、コンパクトディスク（ＣＤ）、レーザディスク、光ディスク、ディジタルバーサタイルディスク(digital versatile disc)（ＤＶＤ）、フロッピー（登録商標）ディスク、およびｂｌｕ−ｒａｙディスクを含むが、ディスク(disks)は普通、データを磁気的に再生し、一方、ディスク(discs)は、レーザーでデータを光学的に再生する。上記の組合せもまた、コンピュータ可読媒体の範囲内に含まれるべきである。
【００７１】
本開示の以上の説明は、どんな当業者も本開示物を作るまたは使用することを可能にするように提供されている。本開示への様々な修正は、当業者には容易に明らかであろう、そして、ここに定義される包括的な原理は、本開示の精神または範囲から逸脱することなく、他の変形に適用されることができる。したがって、本開示は、ここに説明された例およい設計に限定されるようには意図されておらず、ここに開示された原理および新規な特徴に整合する最も広い範囲が与えられるべきである。
【図１】
2010506504.tif 000003
【図２】
2010506504.tif 000004
【図３】
2010506504.tif 000005
【図４】
2010506504.tif 000006
【図５】
2010506504.tif 000007
【図６】
2010506504.tif 000008
【図７】
2010506504.tif 000009
【図８】
2010506504.tif 000010
【図９】
2010506504.tif 000011
【図１０】
2010506504.tif 000012
【図１１】
2010506504.tif 000013
【図１２】
2010506504.tif 000014
【国際調査報告】
2010506504.tif 000015
2010506504.tif 000016